(57)【特許請求の範囲】
【請求項１】
外表面を覆うことが不都合な部品を含む電気部品を搭載した回路基板を有する感知回路と、上記回路基板を収納する回路収納空間を形成する周壁を有する感知器本体と、上記回路収納空間内に充填されて上記感知回路を保護する充填剤と、上記回路収納空間内に設けられ、上記回路基板と協働して、上記外表面を覆うことが不都合な部品を囲み、上記外表面を覆うことが不都合な部品の周囲に上記充填剤で充填されてない空間を形成する隔壁とを備えた火災感知器に於いて、
上記周壁が、上記周壁の開端を閉じるカバーを備え、上記隔壁が上記カバーから一体に延びて上記回路基板に接触した囲いであることを特徴とする火災感知器。
【発明の詳細な説明】
【０００１】
【発明の属する技術分野】
この発明は、例えばサーミスタ等の熱感知手段を用いて火災で発生した熱を感知する火災感知器に関するものである。
【０００２】
【従来の技術】
本発明の関連する防水構造を有する第１の従来の火災感知器として、電気部品を実装した回路基板を感知器本体内の囲い内に配置し、囲い内部をウレタン樹脂等の充填剤により充填して回路基板とその電気部品の防水性を確保するものがある。このような従来の火災感知器は、電気部品を搭載した回路基板を有する感知回路と、回路基板を収納する回路収納空間を形成する周壁を有する感知器本体と、回路収納空間内に充填されて感知回路を水分および機械的損傷から保護する充填剤とを備えている。このような火災感知器に於いては、回路基板上の電気部品は充填剤が直接接触するなどして外表面が充填剤により覆われている。
【０００３】
また、防水構造を有する第２の従来の火災感知器としては、電気部品を実装した回路基板を収納するための回路収納空間を感知器本体の周壁により形成し、この周壁に蓋部材等の部品を紫外線硬化型の充填剤を用いて塗布接着して接合部をシールし、感知回路周囲に密閉空間を形成して防水性を確保するものがある。
【０００４】
【発明が解決しようとする課題】
上述の第１の従来の火災感知器に於いては、電解コンデンサやリードスイッチ等の電気部品を設けると、その外表面に充填剤が直接接触するので、電気部品としての電気的特性が変化するおそれがあり、その場合には、火災感知器の性能に悪影響を与えることがあり不都合である。
【０００５】
また、上述の第２の従来の火災感知器に於いては、電解コンデンサやリードスイッチ等のその外表面に充填剤が直接接触することが不都合な電気部品に充填剤が接触していないので、火災感知器の性能に悪影響を与えることがない。しかしながら、周壁と蓋部材との間の接合部の必要な部分に選択的に紫外線硬化型の充填剤を塗布し、紫外線照射により硬化させねばならず、工程数が多く必要である。また、火災感知器の内部の形状が複雑であるため、充填剤の塗布作業が困難で煩わしいものである。
【０００６】
従って、この発明は上述のような課題を解決するためになされたもので、その目的は簡単確実な構造で、組立作業が容易であり、外表面に充填剤が直接接触することが不都合な電気部品に充填剤を直接接触させずに容易に防水処理を行うことができる火災感知器を提供することである。
【０００７】
【課題を解決するための手段】
（１）この発明の火災感知器は、外表面を覆うことが不都合な部品を含む電気部品を搭載した回路基板を有する感知回路と、回路基板を収納する回路収納空間を形成する周壁を有する感知器本体と、回路収納空間内に充填されて感知回路を保護する充填剤とを備えた火災感知器に於いて、回路収納空間内に設けられ、回路基板と協働して、外表面を覆うことが不都合な部品を囲み、外表面を覆うことが不都合な部品の周囲に充填剤で充填されてない空間を形成する隔壁を備えている。
【０００８】
（２）隔壁は感知器本体から一体に延びて回路基板に接触した囲いであっても良い。
【０００９】
（３）周壁は周壁の開端を閉じるカバーを備え、隔壁はカバーから一体に延びて回路基板に接触した囲いであっても良い。
【００１０】
（４）充填剤はウレタン樹脂、シリコーン樹脂あるいはエポキシ樹脂で良い。
【００１１】
（５）外表面を覆うことが不都合な部品は電解コンデンサおよびリードスイッチの少なくともいずれか一方で良い。
【００１２】
【発明の実施の形態】
実施の形態１．
図１はこの発明の第１の実施の形態に係る火災感知器の構成を示す断面図であり、図２は図１の線Ａ―Ａに沿った部分断面図である。図１および図２において、この発明の火災感知器は感知器本体１と、感知器本体１内に設けられた感知回路２と、感知回路２を感知器本体１内で覆って保護する充填剤３とを備えている。
【００１３】
感知器本体１は、図示しない固定ネジにより天井に取り付けられるベース４と、このベース４に着脱可能に装着されてベース４と協働して感知器本体１を構成するケース５とを備えている。ケース５の内面中央部からは一体的にベース４に向かって延びて開端を持つ周壁６が巡らされていて、周壁６の内側に感知回路２を収納する回路収納空間７が形成されている。回路収納空間７内には支持部材８が設けられていて感知回路２を回路収納空間７内の所定位置に支持している。回路収納空間７内にはまた、ケース５の内面からベース４に向かって一体的に延びて、後に説明する外表面を覆うことが不都合な部品９を収納するための空間１０を内側に形成する隔壁１１が設けられている。
【００１４】
感知回路２は、回路基板１４と、回路基板１４上に搭載された電解コンデンサ、リードスイッチ、サーミスタ１６およびリード線１７等の電気部品を備えている。これらの電気部品のうち、電解コンデンサは詳細には説明しないが、内部のガス抜きを行う圧力弁が設けてあり、電解コンデンサの本来の機能を保つためには、圧力弁周辺に所定の空間を設ける必要がある。また、リードスイッチは詳細には説明しないが、外部がガラス管で覆われており、ガラス管部を充填剤３で覆うと、充填剤３の硬化時、また硬化後の外温の変化等における圧縮、膨張等により、ガラス管部に応力が加わり、ガラス管にひび割れが発生し、本来の機能を有しなくなるおそれがある。このように、電解コンデンサおよびリードスイッチは、それらの外表面に充填剤３が接触して外表面が直接覆われると、電気的特性が影響されるおそれがあり、その場合には感知回路２の性能に悪影響を与えてしまうことがあり、この点で電解コンデンサおよびリードスイッチ等は外表面を覆うことが不都合な部品９である。
【００１５】
この発明によれば、上述の外表面を覆うことが不都合な部品９は、電解コンデンサおよびリードスイッチの少なくともいずれか一方とすることもできる。この感知回路２は、その回路基板１４が感知器本体１内の回路収納空間７内で支持部材８によって支持されて収納されている。感知回路２の電気部品のうち、サーミスタ１６は、回路基板１４上で感知回路２に電気的に接続固着されるとともに機械的にも接続されており、ケース５の中心穴１８を貫通して下面に延出されており、プロテクタ１９により保護されている。感知回路２の電気部品のうちリード線１７は回路基板１４から上方にベース４を貫通して延びていて、天井等の設置面（図示してない）側の回路に接続できるようにされている。なお、この発明の第１の実施の形態では、サーミスタ１６の熱感知手段を用いて火災で発生した熱を感知する火災感知器として説明するが、煙・炎感知器等として構成することも可能である。
【００１６】
回路収納空間７内で支持部材８によって所定位置に支持された回路基板１４と周壁６との間には間隙２０が形成されており、回路基板１４の上下にも回路収納空間７が残されている。このような回路収納空間７内には、ウレタン樹脂、シリコーン樹脂あるいはエポキシ樹脂等の充填剤３が回路収納空間７上側より充填されていて、サーミスタ１６およびリード線１７の一部を除き直接接触してあるいは密着して完全に感知回路２を覆って保護している。しかしながら、電解コンデンサおよびリードスイッチ等の外表面を覆うことが不都合な部品９は、回路基板１４とケース５との間に設けられていて、ケース５から回路基板１４に向かって一体的に延びて先端で回路基板１４に接触している筒形の隔壁１１によって囲まれている。従って、隔壁１１は回路基板１４と協働して内部の空間を閉じているため、隔壁１１内の空間１０内には回路収納空間７の充填剤３が入り込めず、外表面を覆うことが不都合な部品９は充填剤３で充填されてない空間１０によって囲まれている。なお、図示はしてないが、回路収納空間７を形成する周壁６の開端を閉じるカバーを設けることもできる。この場合、カバーはその周縁部で周壁６の開端に係合してずれぬようにされ、またリード線１７を通すための穴を持っているのが望ましい。
【００１７】
このような構成の火災感知器によれば、簡単な隔壁１１を設けただけの構造で、組立作業に影響を与えず、回路収納空間７の上側より充填剤３を回路収納空間７に注入するだけであるので組立作業が容易であり、外表面を覆うことが不都合な部品９に充填剤３を直接接触させずに、感知回路２の防水処理を容易に行うことができる。また充填剤３として紫外線硬化型の充填剤を用いる必要がない。そして、充填剤３の充填作業は一回で済むので作業性が良く、製造工程数およびコストを低減できる。
【００１８】
実施の形態２．
図３はこの発明の第２の実施の形態に係る火災感知器の構成を示す断面図である。この火災感知器は、感知器本体１内に回路収納空間３２を形成する周壁３３の開端を閉じるカバー３４を備えている。カバー３４はその周縁部３５で周壁３３の開端に係合してずれぬようにされており、またリード線１７を通すための穴３６を持っている。回路収納空間３２内には支持部材８によって回路基板３７が所定位置に支持された感知回路２が設けられており、カバー３４の内面からは、外表面を覆うことが不都合な部品９を囲む筒形の隔壁３８が一体に回路基板３７に向かって延びていて、その先端で回路基板３７に接触している。また、外表面を覆うことが不都合な部品９は回路基板３７の図３で上面即ちカバー３４に面する側に設けられている。従って外表面を覆うことが不都合な部品９は、カバー３４と、回路基板３７と、隔壁３８とによって囲まれた空間３９内に充填剤３によって直接接触されずに収納されている。その他の構成は図１および図２の火災感知器と同様である。
【００１９】
このような構成の火災感知器によれば、カバー３４に簡単な隔壁３８を設けただけの構造で、組立作業に影響を与えず、カバー３４に設けられたリード線１７を通す穴３６から充填剤３を回路収納空間３２に注入するだけであるので組立作業が容易であり、外表面を覆うことが不都合な部品９に充填剤３を直接接触させずに、感知回路２の防水処理を容易に行うことができる。また充填剤３として紫外線硬化型の充填剤を用いる必要がない。そして、充填剤３の充填作業は一回で済むので作業性が良く、製造工程数およびコストを低減できる。また、カバー３４に別途図示してない注入口を設け、充填剤３を回路収納空間７に注入しても良い。
【００２０】
【発明の効果】
（１）以上の説明から明らかな通り、この発明の火災感知器は、外表面を覆うことが不都合な部品を含む電気部品を搭載した回路基板を有する感知回路と、回路基板を収納する回路収納空間を形成する周壁を有する感知器本体と、回路収納空間内に充填されて感知回路を保護する充填剤とを備えた火災感知器に於いて、回路収納空間内に設けられ、回路基板と協働して、外表面を覆うことが不都合な部品を囲み、外表面を覆うことが不都合な部品の周囲に充填剤で充填されてない空間を形成する隔壁を備えている。また、（２）隔壁は感知器本体から一体に延びて回路基板に接触した囲いであっても良い。更に、（４）充填剤はウレタン樹脂、シリコーン樹脂あるいはエポキシ樹脂で良く、（５）外表面を覆うことが不都合な部品は、電解コンデンサおよびリードスイッチの少なくともいずれか一方で良い。
【００２１】
従って、簡単な隔壁を設けただけの構造で、組立作業に影響を与えず、充填剤を回路収納空間に注入するだけであるので組立作業が容易であり、外表面に充填剤が直接接触することが不都合な電気部品に充填剤を直接接触させずに、感知回路の防水処理を容易に行うことができる。また充填剤として紫外線硬化型の充填剤を用いる必要がない。そして、充填剤の充填作業は一回で済むので作業性が良く、製造工程数およびコストを低減できる。
【００２２】
（３）周壁は周壁の開端を閉じるカバーを備え、隔壁をカバーから一体に延びて回路基板に接触した囲いとすれば、カバーに簡単な隔壁を設けただけの構造で、組立作業に影響を与えず、外表面に充填剤が直接接触することが不都合な電気部品に充填剤を直接接触させずに、感知回路の防水処理を容易に行うことができる。
【図面の簡単な説明】
【図１】  この発明の実施の形態１に係る火災感知器の構成を示す断面図である。
【図２】  図１の線Ａ-Ａに沿った部分断面図である。
【図３】  この発明の実施の形態２に係る火災感知器を示す断面図である。
【符号の説明】
１  感知器本体、２  感知回路、３  充填剤、６、３３  周壁、７、３２  回路収納空間、９  外表面を覆うことが不都合な部品、９、１６、１７  電気部品、１０、３９  充填剤で充填されてない空間、１１、３８  隔壁、１４、３７  回路基板、３４  カバー。
【図１】
0003740964.tif 000002
【図２】
0003740964.tif 000003
【図３】
0003740964.tif 000004